(57)【要約】  容器本体１０が、肩部１４と胴部１３との境界部分に設けられて胴部１３の円周方向の一部を内側に窪ませた凹部１７を備えると共に、この凹部１７を画成する急傾斜壁面１８に把手部材２０が固定されており、把手部材２０は、急傾斜壁面１８に沿って設けられる取り付け板２３を含む取付部２１と、取り付け板２３の一方面側に容器本体１０の周方向に沿ってアーチ状に突設される把手部２２と、を備える構成とする。
2015053257.tif 000002
【特許請求の範囲】
【請求項１】
開口するネック部と、筒状の胴部と、前記ネック部と前記胴部とを繋ぐ肩部と、を有する容器本体と、該容器本体に外周面に固定される把手部材と、を備える把手付き容器において、
前記容器本体が、前記肩部と前記胴部との境界部分に設けられて前記胴部の円周方向の一部を内側に窪ませた凹部を備えると共に、この凹部を画成する壁面部に前記把手部材が固定されており、
前記把手部材は、前記壁面部に沿って設けられる取り付け板を含む取付部と、該取り付け板の一方面側に前記容器本体の周方向に沿ってアーチ状に突設される把手部と、で構成されていることを特徴とする把手付き容器。
【請求項２】
請求項１に記載の把手付き容器において、
前記取付部が、前記取り付け板の他方面側に一体的に設けられて前記容器本体に係合保持される一対の係合部を含むことを特徴とする把手付き容器。
【請求項３】
請求項１又は２に記載の把手付き容器において、
前記壁面部は、前記ネック部を上側として前記容器本体を載置した状態で斜め上方を向くように傾斜し、
前記把手部は、前記壁面部の表面に対して略垂直方向に突出して設けられていることを特徴とする把手付き容器。
【発明の詳細な説明】
【技術分野】
【０００１】
本発明は、把手付き容器に関し、特に、樹脂材料からなり容量が１０リットル以上である大型の把手付き容器に関する。
【背景技術】
【０００２】
従来から、例えば、ミネラルウォータ用リフィラブルボトル等として、５ガロン程度（約２０リットル）の大型容器が世界中で採用されている。このような大型容器は、一般的に樹脂材料で形成されており、空の状態であれば軽量であるため持ち運びは比較的容易である。しかしながら、ミネラルウォータが充填された状態では、容器はかなりの重量となり持ち運びが大変である。また例えば、ウォーターサーバーに対して容器を載置する際には、容器を持ち上げた後、さらに、開口が下向きとなるように反転させる必要があり、取り扱いが非常に大変である。【０００３】
このような大型容器の運搬や取り扱いを容易にするために、容器本体（プラスチックボトル）の外周部に、胴部の軸方向（上下方向）に沿って延びる把手を設けたものがある（例えば、特許文献１参照）。
【先行技術文献】
【特許文献】
【０００４】
【特許文献１】特開２００６−１９８８６３号公報
【発明の概要】
【発明が解決しようとする課題】
【０００５】
特許文献１に記載のような把手を設けることで、容器の取り扱い性は大きく改善される。しかしながら、胴部の軸方向（上下方向）に沿って設けられた把手では、容器の運搬自体はかなり楽に行うことができるものの、例えば、容器の反転等の特定の動作を行う場合には、やはり取り扱いが難しいという問題がある。【０００６】
本発明はこのような事情に鑑みてなされたものであり、容器の取り扱い性を向上することができる把手付き容器を提供することを目的とする。
【課題を解決するための手段】
【０００７】
上記課題を解決する本発明の第１の態様は、開口するネック部と、筒状の胴部と、前記ネック部と前記胴部とを繋ぐ肩部と、を有する容器本体と、該容器本体に外周面に固定される把手部材と、を備える把手付き容器において、前記容器本体が、前記肩部と前記胴部との境界部分に設けられて前記胴部の円周方向の一部を内側に窪ませた凹部を備えると共に、この凹部を画成する壁面部に前記把手部材が固定されており、前記把手部材は、前記壁面部に沿って設けられる取り付け板を含む取付部と、該取り付け板の一方面側に前記容器本体の周方向に沿ってアーチ状に突設される把手部と、で構成されていることを特徴とする把手付き容器にある。【０００８】
かかる第１の態様では、取付部が取り付け板を含むことで、容器本体の周方向に沿って把手部を設けても、把手部材の容器本体に対する取付強度を十分に確保できる。これにより、容器の取り回し性が向上する。【０００９】
本発明の第２の態様は、第１の態様の把手付き容器において、前記取付部が、前記取り付け板の他方面側に一体的に設けられて前記容器本体に係合保持される一対の係合部を含むことを特徴とする把手付き容器にある。【００１０】
かかる第２の態様では、把手部材の容器本体に対する取付強度がさらに向上する。【００１１】
本発明の第３の態様は、第１又は２の態様の把手付き容器において、前記壁面部は、前記ネック部を上側として前記容器本体を載置した状態で斜め上方を向くように傾斜し、前記把手部は、前記壁面部の表面に対して略垂直方向に突出して設けられていることを特徴とする把手付き容器にある。【００１２】
かかる第３の態様では、容器の取り回し性がさらに向上する。
【発明の効果】
【００１３】
以上のように本発明によれば、容器本体の周方向に沿って把手部を配置することで容器の取り回し性を向上することができる。例えば、ミネラルウォータ用リフィラブルボトル等として使用される比較的大型の容器においては特に効果的である。
【図面の簡単な説明】
【００１４】
【図１】本発明の一実施形態に係る把手付き容器の正面図である。
【図２】本発明の一実施形態に係る把手付き容器の背面図である。
【図３】本発明の一実施形態に係る把手付き容器の側面図である。
【図４】本発明の一実施形態に係る把手付き容器の上面図である。
【図５】本発明の一実施形態に係る把手付き容器の底面図である。
【発明を実施するための形態】
【００１５】
以下、本発明の一実施形態について図面を参照して説明する。
【００１６】
図１〜５に示すように、本実施形態に係る把手付き容器１は、例えば、容量が５ガロン（約２０リットル）程度のミネラルウォータ用リフィラブルボトルとして使用されるものであり、容器本体１０と、把手部材２０とで構成されている。
【００１７】
容器本体１０は、ポリエチレンテレフタレート（ＰＥＴ）樹脂で形成され、上端に開口部１１を有するネック部１２と、筒状の胴部１３と、ネック部１２と胴部１３とを繋ぎネック部１２側から内径が徐々に拡開する肩部１４と、胴部１３の一端を密封する底部１５と、胴部１３と底部１５とを繋ぐヒール部１６と、で構成されている。また肩部１４と胴部１３との境界部分には、容器本体１０の円周方向の一部を切り欠いた凹部１７が形成されている。この凹部１７は、図３に示すように、容器１の側面視で、容器中心軸側に凸となる段状構造を有している。具体的には、凹部１７は、肩部１４から下方に傾斜して延び把手部材２０が取り付けられる急傾斜壁面１８と、それより径方向に延びて胴部１３に連接する緩傾斜壁面１９、とからなる。
【００１８】
そして、この凹部１７を画成する急傾斜壁面１８に把手部材２０が取り付けられている。このように把手部材２０を凹部１７に配置することで、容器本体１０の中心軸の近傍に把手部材２０を配することが可能になる。この急傾斜壁面１８は、ネック部１２を上側として容器本体１０を載置した状態で、斜め上方を向くように傾斜している。すなわち急傾斜壁面１８は、容器本体１０の底面に対して所定角度θ１で傾斜して設けられている（図３参照）。また、急傾斜壁面１８は、容器本体１０の中心側を凹とする曲面となっている（図４参照）。すなわち急傾斜壁面１８は、容器１の上面視にて、胴部１３より大きい曲率を有して中央部が、容器本体１０の径方向外側に凸となる曲面構造になっている。
【００１９】
また把手部材２０が設けられる側の肩部１４の長さＬ１は、ウォーターサーバーへの載置安定性を考慮し、凹部１７がない肩部１４の長さＬ２の１／３以上となっている。また、把手部材２０を胴部１３の中間高さより下方に設けると、作業者は把手部材２０を掴むために屈む必要性が生じる。そのため、把手部材２０が組み付く急傾斜壁面１８の鉛直方向の長さを、胴部１３の全高の１／３以下、より好ましくは１／４以下としている。
【００２０】
把手部材２０は、容器本体１０に取り付けられる取付部２１と、作業者が実際に握る部分である把手部２２と、で構成されている。取付部２１は、急傾斜壁面１８に沿って設けられる取り付け板２３を備える。この取り付け板２３には、図示は省略するが、容器本体１０側に突出して設けられて容器本体１０に係合保持される一対の係合部が一体的に設けられている。すなわち係合部は、容器１の上面視にて、把手部２２との接合部近辺の反対側に、容器中心方向に突出するように取り付け板２３に設けられている。
【００２１】
把手部２２は、取り付け板２３の容器本体１０とは反対側の面（一方面）にアーチ状に突出して設けられている。すなわち把手部２２は、取り付け板２３との間に所定の間隙を確保した状態で、その両端が取り付け板２３に連結されている。本実施形態では、把手部２２は取り付け板２３の表面に対して略直交する方向に突出して設けられている。把手部２２と取り付け板２３との間の間隙領域（貫通孔）は、作業者の手が入り込みやすいよう、横長で略楕円形状に形成されている。なお把手部２２と取り付け板２３を含む取付部２１とは一体成型により形成されている。
【００２２】
また飲料水等で満充された時の容器（５ガロンサイズ）の重量は、最大で約２０ｋｇにも達するため、把手部材２０と容器側の組付き部位には非常に大きな負荷がかかる。このため、把手部材２０が変形しやすいと、係合部より容器本体１０が脱落したり、取り付け板２３の付け根から把手部２２が折損してしまう可能性がある。そのため、本発明では、把手部材２０の剛性を高めるため、把手部２２の外周面に第１の凸状リブ２２ａを設け、把手部２２の付け根近辺の内外面に第２の凸状リブ２２ｂを設けている。なお、取り付け板２３の水平断面は、中央部が把手部２２側に凸となった曲面形状になっている。
【００２３】
このような把手部材２０は、プリフォームをブロー成形して容器本体１０を形成する際、容器本体１０と一体化される。すなわちブロー成形時に、取付部２１を構成する係合部（図示なし）及び取り付け板２３が容器本体１０の急傾斜壁面１８に係合保持されることで、把手部材２０が容器本体１０と一体化される。ブロー成形により容器本体１０を形成する際、取り付け板２３が上述のように曲面形状となっていることで、取り付け板２３の中央部と両端部とでプリフォームの延伸倍率が略均一になる。このため、取り付け板２３が単なる平板状の場合と比べて、容器本体１０の取付部２１に対応する部分の肉厚を十分に確保できる。したがって、把手部材２０を容器本体１０に強固に取り付けることができる。
【００２４】
なお、容器本体１０の成形方法は、特に限定されないが、好適な成形方法として、本件出願人による先願（特開２０１１‐０３７１３９号）にて開示されているような、２ブロー方式によるものが挙げられる。具体的には、最初に凹部１７とほぼ同サイズ・同一形状のくぼみ部を備えた一次ボトルを一次ブロー型にて形成し、次いで、二次ブロー型内でくぼみ部に把手部材２０を組付ける手法である。このようにすると、容器本体１０の全体にわたり好適な肉厚分布を設けることが可能になるほか、１ブロー方式に比べて耐熱性も向上する。
【００２５】
以上のように本実施形態の構成では、把手部材２０の取付部２１が取り付け板２３を含むことで、容器本体１０の周方向に沿って把手部２２を設けても、把手部材２０の容器本体１０に対する取付強度を十分に確保できる。例えば、作業者が把手部２２を掴んで容器１を持ち上げる際に、取付部２１にかかる力が取り付け板２３によって分散され、把手部材２０が容器本体１０から脱落するといった問題の発生を抑制することができる。
【００２６】
そして、容器本体１０の周方向に沿って把手部２２を配置することで、容器１の取り回し性を向上することができる。例えば、ミネラルウォータ用リフィラブルボトル等として使用される比較的大型の容器においては特に効果的である。
【００２７】
また本実施形態では、取付部２１が、取り付け板２３の他方面（容器本体１０）側に一体的に設けられて容器本体に係合保持される一対の係合部を含んでいるため、把手部材２０の容器本体１０に対する取付強度をさらに向上することができる。
【００２８】
さらに、上述のように容器本体１０の急傾斜壁面１８は、容器本体１０の底面に対して所定角度θ１で傾斜して設けられている（図３参照）。また取り付け板２３は、この急傾斜壁面１８の表面に沿って形成され、把手部２２は取り付け板２３に略直交する方向に突出して設けられている。つまり、把手部２２は急傾斜壁面１８の表面に対して略直交する方向に突出して設けられ、容器本体１０の底面に対して所定角度で上方に傾斜して設けられている。
【００２９】
満充時に、容器１を把手部２２で持ち上げる際、容器１の重心と支点（把手部２２）とが異なるため回転モーメントが発生し、容器１が把手部２２を支点として回転し容器本体１０が傾斜状態となる。しかしながら、本願発明に係る容器１は、把手部材２０が上述のように容器本体１０の中心軸近傍に配されているため、胴部の側面に把手部材が配された従来容器に比べて回転モーメントが小さい。また、把手部２２が所定角度で上方に傾斜しているため、重心―支点（把手部２２の先端側）間を結ぶ直線と鉛直線との角度が、単なる水平状態の場合と比べて小さく、回転モーメントが更に小さくなる。したがって、容器１を安定して保持することができる。また、ウォーターサーバーに載置させるために、満充状態の容器１を反転させる際にも、胴部１３の上下方向に把手部材２０を設けた場合と比べて本発明の方が把持しやすいため、安定して容器１を保持できる。これにより、容器１の取り回し性がさらに向上する。また、把手部２２は、図３に仮想線で示すように、肩部１４と胴部１３の延長線が交差する領域の範囲内に配置されていることが望ましい。この構成により、容器１を反転させウォーターサーバーに設置する際も、把手部材２０がその載置台に接触することがない。よって、本発明の把手付き容器１を用いる場合もウォーターサーバーを変更する必要がなく、従来のウォーターサーバーと組み合わせて使用できる。
【００３０】
以上本発明の一実施形態について説明したが、勿論、本発明は、その主旨を逸脱しない範囲であれば、種々の変更が可能なものである。
【符号の説明】
【００３１】
１  把手付き容器
１０  容器本体
１１  開口部
１２  ネック部
１３  胴部
１４  肩部
１５  底部
１６  ヒール部
１７  凹部
１８  急傾斜壁面
１９  緩傾斜壁面
２０  把手部材
２１  取付部
２２  把手部
２２ａ  第１の凸状リブ
２２ｂ  第２の凸状リブ
２３  取り付け板
【図１】
2015053257.tif 000003
【図２】
2015053257.tif 000004
【図３】
2015053257.tif 000005
【図４】
2015053257.tif 000006
【図５】
2015053257.tif 000007
【国際調査報告】
2015053257.tif 000008
2015053257.tif 000009
2015053257.tif 000010
2015053257.tif 000011